(57)【要約】【課題】折り畳みがワンタッチで行なえると共に、衣類の肩部を掛けたり取り外したりするのをスムーズに行なうことができるハンガーを提供する。【解決手段】左右一対の肩掛用アーム４ａ、４ｂを備えた上側ブラケット２と、上側ブラケット２に挿通したフック部５下端に備えた下側ブラケット３と、肩掛用アーム４ａ、４ｂを下側ブラケット３に連繋する左右一対のリンクアーム６ａ、６ｂとを備え、フック部５を介しての下側ブラケット３の上側ブラケット２に対する上下移動によって左右一対の肩掛用アーム４ａ、４ｂを前記リンクアーム６ａ、６ｂを介して開閉可能にする。【選択図】図３
2009095363.tif 000002
【特許請求の範囲】
【請求項１】
左右一対の肩掛用アームを備えた上側ブラケットと、上側ブラケットに挿通されたフック部下端に備えた下側ブラケットと、肩掛用アームを下側ブラケットに連繋する左右一対のリンクアームとを備え、フック部を介しての下側ブラケットの上側ブラケットに対する上下移動によって左右一対の肩掛用アームを前記リンクアームを介して開閉可能としたことを特徴とする折り畳み式ハンガー。
【請求項２】
左右一対の肩掛用アームそれぞれの一端を両サイドで回動可能に枢着してなる上側ブラケットと、該上側ブラケットの中央に形成した挿通孔にスライド自在に挿通されたフック部と、該フック部の下端に固設され、前記上側ブラケットの挿通孔を通して当該フック部と共に上下移動可能とした下側ブラケットと、該下側ブラケットの両側に前記肩掛用アームの略中間部分を回動可能となるように連繋させるリンクアームとを備えてなることを特徴とする折り畳み式ハンガー。
【発明の詳細な説明】
【技術分野】
【０００１】
本発明は、折り畳みがワンタッチで行なえる折り畳み式ハンガーに関する。
【背景技術】
【０００２】
従来におけるハンガーは、衣類の肩部を掛けてから箪笥内や壁等に吊下させておくために、中央のフック部下端から両サイドにかけて肩掛用アームが一体に延設されてなる。
【特許文献１】特になし
【発明の開示】
【発明が解決しようとする課題】
【０００３】
しかしながら、従来におけるハンガーは、肩掛用アーム自体が両サイドにおいて折り畳むことができず固定式のものとなっていることから、当該肩掛用アームに衣類の肩部を掛けたり取り外したりするのが非常に面倒で且つ使い勝手の悪いものであった。しかも、使用しない複数のハンガーをまとめて箪笥内にしまっておく場合には、幅広の肩掛用アームが嵩張ってしまい、収納に不便であるという問題点を有していた。
【０００４】
そこで、本発明は、叙上のような従来存した諸事情に鑑み案出されたもので、フック部下端の両サイドの肩掛用アームが互いに折り畳み可能となるようにすることで、当該肩掛用アームに衣類の肩部を掛けたり取り外したりするのをスムーズに行なうことができると共に、使用しない複数のハンガーをまとめて箪笥内にしまっておく場合においても肩掛用アームを互いに折り畳んでおくことで嵩張らずに収納でき、使い勝手の良いものとなるハンガーを提供することを目的とする。
【課題を解決するための手段】
【０００５】
上述した課題を解決するため、本発明にあっては、左右一対の肩掛用アームを備えた上側ブラケットと、上側ブラケットに挿通されたフック部下端に備えた下側ブラケットと、肩掛用アームを下側ブラケットに連繋する左右一対のリンクアームとを備え、フック部を介しての下側ブラケットの上側ブラケットに対する上下移動によって左右一対の肩掛用アームを前記リンクアームを介して開閉可能としたことを特徴とする。
【０００６】
さらに、具体的には、左右一対の肩掛用アームそれぞれの一端を両サイドで回動可能に枢着してなる上側ブラケットと、該上側ブラケットの中央に形成した挿通孔にスライド自在に挿通されたフック部と、該フック部の下端に固設され、前記上側ブラケットの挿通孔を通して当該フック部と共に上下移動可能とした下側ブラケットと、該下側ブラケットの両側に前記肩掛用アームの略中間部分を回動可能となるように連繋させるリンクアームとを備えてなることを特徴とする。
【０００７】
以上のように構成された本発明に係るハンガーにあって、左右一対の肩掛用アームが互いに閉じている状態において、上側ブラケットに対しフック部を上方に引っ張ると、上側ブラケットの挿通孔を通して当該フック部と一体になった下側ブラケットは上側ブラケットに近接するように上方に移動する。このとき、左右一対の肩掛用アームそれぞれは互いのリンクアームを介して拡開方向に押し広げられるものとなる。
【０００８】
一方、左右一対の肩掛用アームが互いに開いている状態において、上側ブラケットに対しフック部を下方に押し込むと、上側ブラケットの挿通孔を通して当該フック部と一体になった下側ブラケットは上側ブラケットから離反するように下方に移動する。このとき、左右一対の肩掛用アームそれぞれは互いのリンクアームを介して閉塞方向に引き込まれるものとなる。
【発明の効果】
【０００９】
本発明によれば、フック部下端の両サイドの肩掛用アームが互いに折り畳み可能となるようにすることで、当該肩掛用アームに衣類の肩部を掛けたり取り外したりするのをスムーズに行なう行ことができると共に、使用しない複数のハンガーをまとめて箪笥内にしまっておく場合においても肩掛用アームを互いに折り畳んでおくことで嵩張らずに収納でき、使い勝手の良いものとなる。
【００１０】
すなわち、上側ブラケットの挿通孔を通してフック部と共に上下移動可能とした下側ブラケットの両側に左右一対の肩掛用アームそれぞれの略中間部分を、リンクアームを介して互いに回動可能となるように連繋させているため、フック部を介しての肩掛用アームの折り畳みがワンタッチで行なえるものとなり、これによって肩掛用アームに衣類の肩部を掛けたり取り外したりするのをスムーズに行なうことができると共に、衣類の搬送や衣類の展示等に使用するのにも便利で、使い勝手が良いものとなる。しかも、ワイシャツやティーシャツ等の衣類を掛けたり、洗濯した衣類を干した後に取り外すのに非常に便利であり、利便性が高いものとなる。
【発明を実施するための最良の形態】
【００１１】
以下、図面を参照して本発明を実施するための最良の一形態を説明する。
【００１２】
本発明に係るハンガー１は、例えば合成樹脂製または木製等の材質によって形成されており、図１および図２に示すように、左右一対の肩掛用アーム４ａ、４ｂを備えた上側ブラケット２、フック部５下端に備えた下側ブラケット３、肩掛用アーム４ａ、４ｂと下側ブラケット３とを連繋する左右一対のリンクアーム６ａ、６ｂそれぞれの部材から概ね構成されている。
【００１３】
上側ブラケット２は、図１に示すように、コ字状の枠板の左右両端部における前後対向面それぞれに合計４個の支持孔部７を設けてある。そして、長尺ループ状に形成された左右一対の肩掛用アーム４ａ、４ｂそれぞれの一端にＴ字状の支持アーム８を突設し、該支持アーム８両端を、図２に示すように、互いに対向する支持孔部７それぞれに回動自在に枢着してある。
【００１４】
また、図１に示すように、上側ブラケット２の平面部中央には大径円形状の挿通孔９が設けられ、図２に示すように、フック部５を上下スライド自在に挿通させてある。そして、このフック部５の下端には、端部手前で細く括れた環状凹部１０が周設されており、該環状凹部１０を、図３（ａ）（ｂ）に示すように、コ字状の枠板による下側ブラケット３の平面部に形成された中央の嵌合孔１１に係着させることで、フック部５と下側ブラケット３とは一体化される。このとき、上側ブラケット２と下側ブラケット３とのコ字開放面同士が互いに対向するように配置されている。こうして、下側ブラケット３は、上側ブラケット２の挿通孔９を通してフック部５と共に上下移動可能としてある。
【００１５】
さらに、上側ブラケット２の挿通孔９を通してフック部５と共に上下移動可能とした下側ブラケット３の両端側には、左右一対の肩掛用アーム４ａ、４ｂそれぞれを、左右一対のリンクアーム６ａ、６ｂを介して互いに回動可能となるように連繋させている。
【００１６】
具体的には、図１および図２に示すように、下側ブラケット３は、コ字状の枠板の左右両端部における前後対向面それぞれに合計４個の支持孔部７を設け、この支持孔部７に対応して、前記左右一対の肩掛用アーム４ａ、４ｂそれぞれの略中間部分には、中央に支持孔部７’を有する一対の突片部１２が互いに対向するようにして設けてある。そして、全体が略Ｈ形状に形成されてなるリンクアーム６ａ、６ｂの一端Ｔ字状部分１３ａを下側ブラケット３の支持孔部７に回動可能となるように枢着させ、リンクアーム６ａ、６ｂの他端Ｔ字状部分１３ｂを肩掛用アーム４ａ、４ｂの突片部１２の支持孔部７’に回動可能となるように枢着させている。
【００１７】
尚、長尺ループ状に形成された左右一対の肩掛用アーム４ａ、４ｂ、コ字状の枠板による上側ブラケット２および下側ブラケット３、略Ｈ形状に形成されたリンクアーム６ａ、６ｂそれぞれの部材の形状は、本発明を何等拘束するものではなく、他の形状のものに代替させても良いことは勿論である。
【００１８】
次に、以上のように構成された本発明折り畳み式ハンガーの最良の形態についての組立、使用、動作の一例について説明する。
【００１９】
ハンガー１の組立に際し、図１に示すように、上側ブラケット２の両側にある支持アーム８の互いに対向する支持孔部７それぞれに、肩掛用アーム４ａ、４ｂの一端にあるＴ字状の支持アーム８両端を回動自在に枢着する。
【００２０】
また、上側ブラケット２中央の挿通孔９にフック部５の下端側を挿入し、当該フック部５の環状凹部１０を、下側ブラケット３中央の嵌合孔１１に係着して一体化する（図３（ａ）または図３（ｂ）参照）。
【００２１】
そして、図１および図２に示すように、リンクアーム６ａ、６ｂの一端Ｔ字状部分１３ａの両端側を、下側ブラケット３の互いに対向した支持孔部７それぞれに回動可能となるように枢着させ、リンクアーム６ａ、６ｂの他端Ｔ字状部分１３ｂの両端側を、肩掛用アーム４ａ、４ｂの互いに対向する突片部の支持孔部７’それぞれに回動可能となるように枢着する。
【００２２】
ハンガー１の使用に際し、図３（ａ）に示すように、左右一対の肩掛用アーム４ａ、４ｂが互いに閉じている状態から、上側ブラケット２に対しフック部５を上方に引っ張る。あるいは、図２に示すように、上側ブラケット２に衣類Ｑの肩部を掛けて、フック部５に対し上側ブラケット２を衣類Ｑの荷重でもって下方に移動させる。このとき、上側ブラケット２の挿通孔９を通して当該フック部５と一体の下側ブラケット３は上側ブラケット２に近接するように移動し、図３（ｂ）に示すように、左右一対の肩掛用アーム４ａ、４ｂそれぞれは互いのリンクアーム６ａ、６ｂを介して拡開方向に押し広げられ、左右一対の肩掛用アーム４ａ、４ｂに衣類Ｑの両肩部が掛架される。
【００２３】
また、ハンガー１に掛けられた衣類Ｑを取り外す場合、図３（ａ）に示すように、フック部５を上側ブラケット２側に押し込むと、上側ブラケット２の挿通孔９を通して当該フック部５と一体の下側ブラケット３は上側ブラケット２から離反するように下方に移動し、左右一対の肩掛用アーム４ａ、４ｂそれぞれは互いのリンクアーム６ａ、６ｂを介して閉塞方向に引き込まれることから、ハンガー１から衣類Ｑをスムーズに取り外せるものとなる。
【００２４】
ハンガー１を使用しない場合には、図３（ａ）に示すように、フック部５を上側ブラケット２側に押し込んで左右一対の肩掛用アーム４ａ、４ｂを互いに閉じた状態にしてから、箪笥内や引き出し内等にしまっておく。こうすることで、複数のハンガー１を嵩張らずにまとめて収納しておくことができるのである。
【図面の簡単な説明】
【００２５】
【図１】本発明を実施するための最良の形態におけるハンガーの構成の一例を示す分解斜視である。
【図２】同じく使用状態を示す斜視図である。
【図３】同じくハンガーの肩掛用アームの開閉動作を説明するもので、（ａ）は肩掛用アームが閉じている状態の正面図、（ｂ）はフック部が上方に引っ張られることで肩掛用アームが開いた状態の正面図である。
【符号の説明】
【００２６】
Ｑ          衣類
１          ハンガー
２          上側ブラケット
３          下側ブラケット
４ａ、４ｂ  肩掛用アーム
５          フック部
６ａ、６ｂ  リンクアーム
７、７’    支持孔部
８          支持アーム
９          挿通孔
１０        環状凹部
１１        嵌合孔
１２        突片部
１３ａ      一端Ｔ字状部分
１３ｂ      他端Ｔ字状部分
【図１】
2009095363.tif 000003
【図２】
2009095363.tif 000004
【図３】
2009095363.tif 000005